(57)【要約】【課題】  点火操作時に必要な差動力の違いを発生させないで、かつ簡易な構成によって、バーナの火力を点火に適切な中火力位置へ強制的に設定すること。【解決手段】  ガス量調節つまみ１によるスライド回動操作によってガス量調節するガス量調節レバー２と、リセットレバー８，９から構成されて支持部を中心に回動可能な火力リセット部２４とを備える。リセットレバー８の下端部には押動レバー７に接離する被押圧部位８１が、上端部には荷受部４１に接離するつめ片８２が設けられる。リセットレバー９の下端部には押圧部位７ａに接離する被押圧部位９１が、上端部には荷受部４２に接離するつめ片９２が設けられる。点火操作時に操作ボタン６が押されると、押動レバー７の回動動作に伴って、押圧部位７ａが被押圧部位８１，９１のいずれかを押圧して、ガス量調節レバー２を中火力位置へ移動させる。【選択図】  図３
2005265353.tif 000002
【特許請求の範囲】
【請求項１】
手動操作により動作する点火・消火機構と、回動自在に軸支され、バーナの火力を強火力から弱火力まで調節する回動スライド式のガス量調節レバーと、前記ガス量調節レバーを中火力位置に設定し直す火力リセット部とを備えたガス機器のガス量調節装置において、
前記火力リセット部は、第１支点を中心に回動可能な第１リセット部材と、第２支点を中心に回動可能な第２リセット部材とからなり、
前記ガス量調節レバーが中火力位置以外に位置するとき、前記点火・消火機構の点火時の動作により、前記火力リセット部の第１リセット部材又は第２リセット部材が、前記ガス量調節レバーの被作用部位に当接して中火力位置へ回動させることを特徴とするガス機器のガス量調節装置。
【請求項２】
前記第１リセット部材は、前記ガス量調節レバーを一の方向へ回動させて中火力位置に設定し直し、
前記第２リセット部材は、前記一の方向とは反対方向である他の方向へ、前記ガス量調節レバーを回動させて中火力位置に設定し直すことを特徴とする請求項１に記載のガス機器のガス量調節装置。
【請求項３】
前記第１リセット部材は、一端部に前記点火・消火機構の押圧部位に接離される一の被押圧部位を有し、他端部に前記ガス量調節レバーの一の被作用部位に接離される一の作用部位を備え、
前記第２リセット部材は、一端部に前記点火・消火機構の押圧部位に接離される他の被押圧部位を有し、他端部に前記ガス量調節レバーの他の被作用部位に接離される他の作用部位を備え、
前記点火・消火機構の点火時の動作時は、前記点火・消火機構の押圧部位が前記一の被押圧部位に当接して前記第１リセット部材を回動動作させ、該回動動作により前記一の作用部位が前記一の被作用部位に当接し、又は、前記点火・消火機構の押圧部位が前記他の被押圧部位に当接して前記第２リセット部材を回動動作させ、該回動動作により前記他の作用部位が前記他の被作用部位に当接することで、前記ガス量調節レバーを中火力位置へ回動させることを特徴とする請求項１又は２に記載のガス機器のガス量調節装置。
【請求項４】
前記第１リセット部材は、前記第２支点において前記第２リセット部材を固定するための係合部を備え、
前記第１支点では、前記第１リセット部材に設けられた第１貫通孔が第１挿入部材に遊嵌され、
前記第２支点では、前記第２リセット部材に設けられた第２貫通孔が第２挿入部材に遊嵌され、
前記第１リセット部及び前記第２挿入部材で前記第２リセット部材を挟持するように、前記第１リセット部材の係合部が前記第２挿入部材に係合されることを特徴とする請求項１乃至３のいずれかに記載のガス機器のガス量調節装置。
【請求項５】
前記第２挿入部材に貫設され、かつ前記第２挿入部材及び前記第２リセット部材に挟持されて、前記第２リセット部材を付勢して前記第１リセット部材に当接させるバネ部材が設けられることを特徴とする請求項４に記載のガス機器のガス量調節装置。
【請求項６】
前記第２挿入部材は、その先端部に向けて漸次細くなる形状をなしていることを特徴とする請求項４又は５に記載のガス機器のガス量調節装置。
【発明の詳細な説明】
【技術分野】
【０００１】
本発明はガス機器のガス量調節装置に関し、詳しくは点火時におけるバーナの火力を安全な中火力に設定するガス機器のガス量調節装置に関する。
【背景技術】
【０００２】
従来より、テーブルコンロ等のガス機器においては、中華料理のように大火力を用いる場合から、煮物のようにとろ火を用いる場合まで多様な料理に対応させるために広い火力調節範囲が要求されるが、点火時にミスなく確実にダイレクト着火させるためには、バーナの火力が中火力以上に設定されていなければならない。しかし、大火力で着火された場合には、使用者によっては予想を越えた炎となって、使用者が驚いたりして、特に、高齢者が安心して利用できないこととなる。
【０００３】
そこで、点火操作に連動して、点火に適切な中火力位置へ強制的に設定するガス量調節機構が各種提案されている。例えば、点火操作時においてガス量調節レバーが中火力以外に設定されていると、点火操作に連動して回動する戻しレバーの作用でガス量調節レバーは強制的かつ自動的にバーナの火力が中火力となる位置に戻され、円滑で穏やかな安全点火がなされるようにしたガス量調節機構が知られている（例えば、特許文献１参照。）。
【特許文献１】特許第３１２８４６６号公報
【発明の開示】
【発明が解決しようとする課題】
【０００４】
上記の従来技術では、点火操作に連動する戻しレバーが１つの支点を中心に回動することで、ガス量調節レバーの本体部に設けられた２つの接触子のいずれかを押圧して、ガス量調節レバーを中火力となる位置に戻している。そのため、２つの接触子のうち、戻しレバーの支点から遠い距離にある接触子を押圧してガス量調節レバーを回動させるためには、他方の接触子を押圧するよりも大きな作動力を必要とした。すなわち、戻しレバーが１つの支点を中心に回動するものの場合は、その作動力点の距離の違いから、ガス量調節レバーを「弱→中」及び「大→中」のいずれかの動作時に、利用者はより大きな力で点火操作を行う必要があった。
【０００５】
このような問題を解決するためには、ガス量調節レバーを「弱→中」又は「大→中」に各々回動させるための戻しレバーを２つ設けることが考えられる。しかしながら、実際には、各々支点を有する戻しレバーを２つ設けると、部品数が増加することから製造コストなどの問題があり、また部品数が増加すると動作が不安定となるおそれがあった。
【０００６】
本発明は上記課題を解決するためになされたものであり、点火操作時に必要な差動力の違いを発生させないで、かつ簡易な構成によって、バーナの火力を点火に適切な中火力位置へ強制的に設定することができるガス機器のガス量調節装置を提供することを目的とする。
【課題を解決するための手段】
【０００７】
上記目的を達成するために、請求項１に係る発明のガス機器のガス量調節装置は、手動操作により動作する点火・消火機構と、回動自在に軸支され、バーナの火力を強火力から弱火力まで調節する回動スライド式のガス量調節レバーと、前記ガス量調節レバーを中火力位置に設定し直す火力リセット部とを備えたガス機器のガス量調節装置において、前記火力リセット部は、第１支点を中心に回動可能な第１リセット部材と、第２支点を中心に回動可能な第２リセット部材とからなり、前記ガス量調節レバーが中火力位置以外に位置するとき、前記点火・消火機構の点火時の動作により、前記火力リセット部の第１リセット部材又は第２リセット部材が、前記ガス量調節レバーの被作用部位に当接して中火力位置へ回動させることを特徴とする。
【０００８】
また、請求項２に係る発明のガス機器のガス量調節装置は、請求項１に記載の発明の構成に加え、前記第１リセット部材は、前記ガス量調節レバーを一の方向へ回動させて中火力位置に設定し直し、前記第２リセット部材は、前記一の方向とは反対方向である他の方向へ、前記ガス量調節レバーを回動させて中火力位置に設定し直すことを特徴とする。
【０００９】
また、請求項３に係る発明のガス機器のガス量調節装置は、請求項１又は２に記載の発明の構成に加え、前記第１リセット部材は、一端部に前記点火・消火機構の押圧部位に接離される一の被押圧部位を有し、他端部に前記ガス量調節レバーの一の被作用部位に接離される一の作用部位を備え、前記第２リセット部材は、一端部に前記点火・消火機構の押圧部位に接離される他の被押圧部位を有し、他端部に前記ガス量調節レバーの他の被作用部位に接離される他の作用部位を備え、前記点火・消火機構の点火時の動作時は、前記点火・消火機構の押圧部位が前記一の被押圧部位に当接して前記第１リセット部材を回動動作させ、該回動動作により前記一の作用部位が前記一の被作用部位に当接し、又は、前記点火・消火機構の押圧部位が前記他の被押圧部位に当接して前記第２リセット部材を回動動作させ、該回動動作により前記他の作用部位が前記他の被作用部位に当接することで、前記ガス量調節レバーを中火力位置へ回動させることを特徴とする。
【００１０】
また、請求項４に係る発明のガス機器のガス量調節装置は、請求項１乃至３のいずれかに記載の発明の構成に加え、前記第１リセット部材は、前記第２支点において前記第２リセット部材を固定するための係合部を備え、前記第１支点では、前記第１リセット部材に設けられた第１貫通孔が第１挿入部材に遊嵌され、前記第２支点では、前記第２リセット部材に設けられた第２貫通孔が第２挿入部材に遊嵌され、前記第１リセット部及び前記第２挿入部材で前記第２リセット部材を挟持するように、前記第１リセット部材の係合部が前記第２挿入部材に係合されることを特徴とする。
【００１１】
また、請求項５に係る発明のガス機器のガス量調節装置は、請求項４に記載の発明の構成に加え、前記第２挿入部材に貫設され、かつ前記第２挿入部材及び前記第２リセット部材に挟持されて、前記第２リセット部材を付勢して前記第１リセット部材に当接させるバネ部材が設けられる。
【００１２】
また、請求項６に係る発明のガス機器のガス量調節装置は、請求項４又は５に記載の発明の構成に加え、前記第２挿入部材は、その先端部に向けて漸次細くなる形状をなしていることを特徴とする。
【発明の効果】
【００１３】
請求項１に係る発明のガス機器のガス量調節装置では、火力リセット部が第１リセット部材及び第２リセット部材の回動可能な２つの部材から構成され、ガス量調節レバーが中火力位置以外に位置するとき、点火・消火機構の点火時の動作により、第１リセット部材又は第２リセット部材が、ガス量調節レバーの被作用部位に当接して中火力位置へ回動させるようにした。よって、点火操作時に必要な差動力の違いを発生させないで、かつ簡易な構成によって、バーナの火力を中火力位置へ強制的に設定することができる。
【００１４】
また、請求項２に係る発明のガス機器のガス量調節装置では、請求項１に係る発明の効果に加え、第１リセット部材はガス量調節レバーを一の方向へ回動させて中火力位置に設定し直し、第２リセット部材は一の方向とは反対方向である他の方向へガス量調節レバーを回動させて中火力位置に設定し直すようにした。よって、点火操作時に必要な差動力の違いを発生させないで、かつ簡易な構成によって、バーナの火力を中火力位置へ強制的に設定することができる。
【００１５】
また、請求項３に係る発明のガス機器のガス量調節装置では、請求項１又は２に係る発明の効果に加え、第１リセット部材及び第２リセット部材は、点火・消火機構の点火時の動作時によって回動されて、この回動動作によりガス量調節レバーを回動させる中火力位置へ回動させるようにした。よって、点火操作時に必要な差動力の違いを発生させないで、かつ簡易な構成によって、バーナの火力を中火力位置へ強制的に設定することができる。
【００１６】
また、請求項４に係る発明のガス機器のガス量調節装置では、請求項１乃至３のいずれかに係る発明の効果に加え、第１リセット部材は第２支点において前記第２リセット部材を固定するための係合部を備えたので、従来にない簡易な構成によって、バーナの火力を中火力位置へ強制的に設定することができる。
【００１７】
また、請求項５に係る発明のガス機器のガス量調節装置では、請求項４に係る発明の効果に加え、第２リセット部材を付勢して第１リセット部材に当接させるバネ部材を設けたので、第２リセット部材を回動可能に固定して、火力リセット部の動作を安定させることができる。
【００１８】
また、請求項６に係る発明のガス機器のガス量調節装置は、請求項４又は５に係る発明の効果に加え、第２挿入部材はその先端部に向けて漸次細くなる形状をなしているので、火力リセット部を簡易に組立て・取外しできる。
【発明を実施するための最良の形態】
【００１９】
以下、本発明に係るガス機器のガス量調節装置の実施の形態について図面を参照して説明する。
【００２０】
まず、本実施の形態における、ガス機器のガス量調節装置の機械的構成の概略について、図面を参照して説明する。図１は、燃焼装置であるテーブルコンロ５０の平面図である。図２は、燃焼装置であるテーブルコンロ５０の正面図である。図３は、ガス量調節装置の概略構成図である（消火位置）。図４は、ニードル部２１についての説明図である。図５は、火力リセット部２４の組立て構成の説明図である。図６は、ガス量調節装置の組立て構成の説明図である。図７は、火力調節レバー２と火力リセット部２４の斜視図である。
【００２１】
図１及び図２に示すように、テーブルコンロ５０には、左右に２組のバーナ５２ａ、５２ｂが設けられ、前面に設けられるバーナ点火用の操作ボタン６ａまたは６ｂを押すことによりそれぞれのバーナ５２ａまたは５２ｂが点火され、再度押すことにより消火される。また、スライド回動操作によって火力を調節する火力調節つまみ１ａ、１ｂは、各々の操作ボタン６ａ、６ｂの上方に設けられる。
【００２２】
図３に示すように、点火・消火機構には、点火・消火操作用の操作ボタン６と、押圧操作によって回動（図の右方向）する押動レバー７と、この押動レバー７に当接し押圧操作により進退してガス流路内のスピンドル１６を押す摺動部材１０と、スピンドル１６を図の左方へ付勢する戻しバネ１７と、スピンドル１６に固着され操作ボタン６による点火操作により吐出口１８へのガス流路を開閉するメイン弁１９と、同じく点火操作により押動されてガス流路を開き、燃焼時に熱起電力によって開弁状態に保持されるマグネット式安全弁２０とが設けられる。また、吐出口１８の下流には、火力調節つまみ１のスライド回動操作に連動して流路の開度を変えるニードル部２１が設けられ、この下流でバーナ５２ａ、５２ｂ（以下、バーナ５２とよぶ。）に連通される。
【００２３】
上述した摺動部材１０は、ケーシング１１内にプッシュバネ１３を介して設けられ、摺動部材１０の側面には点火時と消火時とで交互に摺動部材１０の進退位置を決定するプッシュプッシュ機構１４が設けられる。このプッシュプッシュ機構１４は、点火操作における押圧を開放するとメイン弁１９を開弁したまま、マグネット式安全弁２０を閉弁可能状態とする位置まで後退して摺動部材１０を係止し（燃焼位置）、消火操作における押圧を開放すると摺動部材１０の係止を解除し、所定ストロークだけ図の左方向にスピンドル１６を戻してメイン弁１９を閉弁させるように設けられる（消火位置）。
【００２４】
この摺動部材１０の側面近傍には、摺動部材１０の進退と連動してＯＮ／ＯＦＦする点火スイッチ１５が設けられる。この点火スイッチ１５は、点火操作における押し込み位置（図１３）でＯＮして点火器を作動させ、燃焼位置（図１４）および消火位置（図３）でＯＦＦして点火器を停止する関係に設けられるが、詳細は後述する。
【００２５】
ガス量調節機構には、スライド回動操作によって火力調節する火力調節つまみ１と、その火力調節つまみ１が装着されて操作力により回動する火力調節レバー２と、火力調節レバー２に連動してガス流量を調節するニードル部２１と、操作ボタン６による消火操作によって火力調節レバー２を中火力位置に設定し直す火力リセット部２４とが設けられる。
【００２６】
図３及び図４に示すように、ニードル部２１には、火力調節レバー２に連動して上下動し、その位置に応じたガス流量に調節するニードル２３が設けられ、その上部には中心軸に直交する方向に挿通する係止ピン２５が固定される。この係止ピン２５は、火力調節レバー２に垂直方向に設けられた長孔２ａに上下方向に移動可能に挿通され、固定される固定板４に形成される逆三角形状の貫通孔４ａに挿通される。そして、火力調節レバー２が左右に操作されることにより、係止ピン２５は火力調節レバーの斜め長孔２ａと固定板４の貫通孔４ａとに案内されて、ニードル２３を上下に移動する。従って、ニードル２３では、火力調節つまみ１を左右へ回動することによって、その位置に応じた開度になってガス量、即ち、火力が調節される。
【００２７】
また、火力リセット部２４には、図３に示すように、一端で軸支され、点火操作による押圧操作によって支軸７ｂを中心に時計方向に回動し、消火操作による押圧操作を開放すると戻しバネ１７およびプッシュバネ１３により反時計方向に回動する押動レバー７が設けられ、この押動レバー７への押圧操作によって他端に設けられた押圧部位７ａが当接して、その押圧力によって回動する火力リセット部２４が設けられる。
【００２８】
図３及び図５に示すように、火力リセット部２４は、略コの字形の金具であるリセットレバー８と、略板状の金具であるリセットレバー９と、コイル状のバネ７０から構成される。これらの部材は、ニードル部２１の外面にテーブルコンロ５０の正面方向へ凸出して設けられた支持部材３０に取付けられて、火力リセット部２４を構成する。
【００２９】
支持部材３０は、テーブルコンロ５０の左右方向を軸線方向とする略円柱状の形体をなし、正面視、その左端部には断面中央部から凸出された支持部３１と、その右端部には断面中央部から凸出された支持部３２とが設けられる。支持部３１は略円形の断面形状をなし、支持部３２はテーブルコンロ５０の前後方向を長手方向とする略長方形の断面形状をなす。また、正面視、支持部材３０の右端部付近では、支持部３２の先端方向へ漸次その断面が細くなっている。
【００３０】
リセットレバー８は、正面視、支持部材３０の左端部に取付けられるものであり、支持部３１が挿入されて遊嵌されるための貫通孔８３が設けられる。貫通孔８３が設けられた面と対向する面には、支持部３１に係合されるフック形状の係合部８４が設けられる。リセットレバー８の貫通孔８３が設けられた面は、他の面よりも上方に長く、その上端には火力調節レバー２に接離するつめ片８２が形成される。テーブルコンロ５０の正面方向に設けられる面は、他の面よりも下方に長く、その下端には押動レバー７の押圧部位７ａが当接される被押圧部位８１が設けられる。
【００３１】
リセットレバー９は、正面視、支持部材３０の右端部に取付けられるものであり、支持部３２が挿入されて遊嵌されるための貫通孔９３が設けられる。リセットレバー９では、その本体面の上端から腕部が上方に伸びるように形成され、この腕部の上端には火力調節レバー２に接離するつめ片９２が形成される。また、本体面の下端から脚部が下方に伸びるように形成され、この脚部の下端には押動レバー７の押圧部位７ａが当接される被押圧部位９１が設けられる。
【００３２】
この火力リセット部２４の組立て工程は、次のように行われる。（１）バネ７０を支持部３２に貫装させる。（２）リセットレバー９の貫通孔９３をバネ７０の上から押さえ込むように支持部３２に貫装させて、バネ７０が縮んだ状態でリセットレバー９を保持する。（３）リセットレバー８の貫通孔８３を支持部３１に貫装させ、その状態を保持したまま、テーブルコンロ５０の正面方向から、係合部８４の切れ目部分（開口部分）を支持部３２にスライドさせるようにして、係合部８４を支持部３２に嵌め込む。
【００３３】
火力リセット部２４の組立て後は、図６に示すように、点火・消火機構の一部であるケーシング１１や押動レバー７を、正面方向（図では左方向）からガス量調節装置の本体に固定する。また、ガス量調節機構の一部である火力調節レバー２や固定板４を、上方向からガス量調節装置の本体に固定する。
【００３４】
その結果、図７に示すように、火力リセット部２４では、リセットレバー８，９は支持部３１，３２を支軸として回動可能に形成される。火力リセット部２４の上端では、リセットレバー８のつめ片８２及びリセットレバー９のつめ片９２が、互いに向かい合うように左右に形成され、正面視、火力調節レバー２における左右の荷受部位４１，４２に各々接離するように設けられる。火力リセット部２４の下端では、リセットレバー８の被押圧部位８１及びリセットレバー９の被押圧部位９１が隣り合うように並んで形成されて、押動レバー７の押圧部位７ａが接離するように設けられる。
【００３５】
以上のようにして、一体として構成された火力リセット部２４が、支持部材３０から凸出された支持部３１，３２を支軸として回動可能に設けられる。一方、火力リセット部２４の取外し時は、上記の組立て工程を逆の手順で実行すればよい。
【００３６】
なお、支持部３２は先端方向に細くなっているため（図５参照）、リセットレバー８の係合部８４を嵌め込む際に、先に貫装されているリセットレバー９を若干傾かせれば、リセットレバー８の係合部８４を容易に支持部３２に嵌め込むことができる。逆に、取外し時には、リセットレバー９を若干傾かせて、リセットレバー８の係合部８４を支持部３２から容易に取外すことができる。
【００３７】
次に、本実施の形態における、ガス機器のガス量調節装置の動作の概略について、図面を参照して説明する。図８は、火力調節レバー２とリセットレバー８，９（中火力位置）の動作説明図である。図９は、火力調節レバー２とリセットレバー８，９（強火力位置）の動作説明図である。図１０は、ガス量調節装置（強火力位置）の動作説明図である。図１１は、火力調節レバー２とリセットレバー８，９（弱火力位置）の動作説明図である。図１２は、ガス量調節装置（弱火力位置）の動作説明図である。図１３は、ガス量調節装置の動作説明図である（終端位置）。図１４は、ガス量調節装置の動作説明図である（燃焼位置）。
【００３８】
図８に示すように、火力調節レバー２には、火力を調節する火力調節つまみ１が前端に設けられており、この火力調節つまみ１を左右方向に動かすことで火力調節レバー２を回動させて、任意の火力を設定する。正面視、火力調節レバー２が正面方向に向けられると、「中火力」となるように火力が調節される。左方向に向けられると（図では上方向）、「強火力」となるように火力が調節される。右方向に向けられると（図では下方向）、「弱火力」となるように火力が調節される。また、火力調節レバー２の後端の左右には荷受部位４１，４２が設けられて、火力調節レバー２の回動動作によりリセットレバー８のつめ片８２及びリセットレバー９のつめ片９２に各々接離される。なお、図８に示す中火力位置では、火力リセット部２４は図３に示すように、つめ片８２及びつめ片９２がほぼ同じ高さに位置し、また被押圧部位８１及び被押圧部位９１がほぼ同じ高さに位置する。
【００３９】
図９に示すように、火力調節レバー２が強火力位置におかれると、そのスライド回動操作によって荷受部位４１は背面方向に移動し，荷受部位４２は正面方向に移動する。その結果、荷受部位４１はリセットレバー８のつめ片８２に当接して、つめ片８２を背面方向に押圧する。一方、荷受部位４２はリセットレバー９のつめ片９２と離間する。これにより、図１０に示すように、右側面視、リセットレバー８が支持部３１（図７参照）を中心に時計回り方向に回動する。そして、リセットレバー８の被押圧部位８１は、図３の状態よりも正面方向の高い位置（図では左上方向）に移動する。
【００４０】
図１１に示すように、火力調節レバー２が弱火力位置におかれると、そのスライド回動操作によって荷受部位４２は背面方向に移動し，荷受部位４１は正面方向に移動する。その結果、荷受部位４２はリセットレバー９のつめ片９２に当接して、つめ片９２を背面方向に押圧する。一方、荷受部位４１はリセットレバー８のつめ片８２と離間する。これにより、図１２に示すように、右側面視、リセットレバー９が支持部３２（図７参照）を中心に時計回り方向に回動する。そして、リセットレバー９の被押圧部位９１は、図３の状態よりも正面方向の高い位置（図では左上方向）に移動する。
【００４１】
このように、火力調節レバー２が中火力位置以外におかれた場合、リセットレバー８又はリセットレバー９が回動して、その被押圧部位８１又は被押圧部位９１が、図３の中火力状態よりも正面方向の高い位置（図では左上方向）に移動する。そして、本実施の形態のガス量調節装置では、点火操作時に以下のような動作が実行されて、強制的かつ自動的にバーナの火力が中火力となる位置に戻される。以下では、火力調節レバー２が強火力位置におかれている状態で（図１０参照）、点火操作時に中火力位置に戻される場合を説明する。
【００４２】
図１３に示すように、点火操作時には、操作ボタン６がマグネット式安全弁２０の全開位置まで押し付けられる。これにより、右側面視、押動レバー７が支軸７ｂを中心に時計方向に回転し、押動レバー７の押圧部位７ａがリセットレバー８の被押圧部位８１に当接して、さらに被押圧部位８１を図３に示すデフォルト位置まで押し下げる。この押圧動作に伴い、リセットレバー８は支持部３１（図７参照）を中心に反時計回り方向に回動する。この回動動作に伴い、図９に示すように火力調節レバー２の荷受部位４１に当接するつめ片８２は、荷受部位４１を正面方向（図では左方向）に押圧して、図８に示す中火力位置まで荷受部位４１を移動させる。これにより、強火力位置にある火力調節レバー２を、点火操作時に強制的かつ自動的に中火力位置に戻すことができる。
【００４３】
そして、バーナ５２への着火を確認して操作ボタン６から手を離すと、プッシュバネ１３および戻しバネ１７により押動レバー７が反時計方向に回転して戻るが、図１４に示すようにプッシュプッシュ機構１４における燃焼位置で係止される。従って、燃焼状態では、火力調節つまみ１を自由に回動操作でき、火力調節することができる。
【００４４】
続いて、消火操作を行って操作ボタン６が押されると、押動レバー７が少し時計方向に回転し、手を離すと、プッシュプッシュ機構１４の係止が解除され、摺動部材１０およびスピンドル１６がプッシュバネ１３および戻しバネ１７により正面方向（図では左方向）に戻り、その付勢力により押動レバー７及び操作ボタン６が、図３に示す消火位置でのガス量調節装置におけるデフォルト位置に戻される。
【００４５】
なお、ガス量調節装置において、点火操作時に弱火力状態（図１１，図１２）が中火力状態（図８，図３）に戻される場合も、その動作は上述と同様である。図１３に示すように、点火操作時に操作ボタン６が押し付けられると、押動レバー７の押圧部位７ａがリセットレバー９の被押圧部位９１を図３に示すデフォルト位置まで押し下げ、リセットレバー９のつめ片９２が火力調節レバー２の荷受部位４２を図８に示す中火力位置まで戻す。
【００４６】
すなわち、押動レバー７の押圧部位７ａは、被押圧部位８１及び被押圧部位９１のいずれにも当接可能なように左右方向に幅をもたせて構成されているため、強火力状態（図９，図１０）及び弱火力状態（図１１，図１２）のいずれの場合であっても、点火操作時には押圧部位７ａが被押圧部位８１及び被押圧部位９１のいずれかを押圧して、中火力状態（図８，図３）に戻すことができる。
【００４７】
しかも、強火力状態（図９，図１０）から中火力状態（図８，図３）に戻す場合、又は弱火力状態（図１１，図１２）から中火力状態（図８，図３）に戻す場合のいずれであっても、点火操作時の操作ボタン６への差動力はほぼ同じである。これは、前者の動作を行うためのリセットレバー８と、後者の動作を行うためのリセットレバー９との各々に支点（支持部３１，３２）を設け、押圧部位７ａが押圧する被押圧部位８１，９１から各支点までの距離が略等しく、かつ各支点から接触子（荷受部位４１，４２）までの距離が略等しい構成としたことによる。
【００４８】
また、火力リセット部２４を、リセットレバー８，リセットレバー９，バネ７０からなる少ない部品数による簡易な構成としたので、製造コストなどを低減でき、また動作を安定させることができる。
【００４９】
ところで、このような構成（図５，図６参照）によれば、係合部８４が支持部３１から外れるおそれがないようにすることができる。図１０に示すように、リセットレバー８は被押圧部位８１が押圧部位７ａの高さを越えない限度で、時計方向に回動する。逆に、図１２に示すように、リセットレバー８は被押圧部位８１がケーシング１１の上部までを限度に反時計方向に回動する。すなわち、係合部８４の切れ目部分（開口部）は、前後方向を長手とする略長方形の断面形状を有する支持部３２が、その内部をスライド移動できる程度まで傾くことはない。よって、図６のように火力リセット部２４を組立てた後は、係合部８４が支持部３２から外れることはない。
【００５０】
しかも、支持部３２では、リセットレバー９からみて外側にリセットレバー８が係合されているが、リセットレバー９と支持部３２とに挟持されたバネ７０に付勢されて、リセットレバー９がリセットレバー８に密着する構造となっている。これにより、リセットレバー９の動作が安定的になるとともに、リセットレバー８の係合部８４が支持部３２から外れにくい構造となっている。
【００５１】
このように本発明によれば、ビスやボルト・ナットなどの留め具を使わなくても、火力リセット部２４を一体として構成することができ、部品数を増やさない簡易な構成を実現できる。
【００５２】
以上、説明したように本実施の形態のガス量調節装置によれば、点火操作時に操作ボタン６が押されると、それに連動して火力リセット部２４が回動して、火力調節レバー２が中火力位置に戻されるため、点火操作時に必要な差動力の違いを発生させないで、かつ簡易な構成によって、バーナの火力を点火に適切な中火力位置へ強制的に設定することができる。
【００５３】
ところで、上記実施の形態において、リセットレバー８が、本発明の「第１リセット部材」に相当し、リセットレバー９が、本発明の「第２リセット部材」に相当する。被押圧部位８１が、本発明の「一の被押圧部位」に相当し、被押圧部位９１が、本発明の「他の被押圧部位」に相当する。荷受部位４１が、本発明の「一の作用部位」に相当し、荷受部位４２が、本発明の「他の作用部位」に相当する。
【００５４】
また、貫通孔８３が、本発明の「第１貫通孔」に相当し、貫通孔９３が、本発明の「第２貫通孔」に相当する。支持部３１が、本発明の「第１挿入部材」に相当し、支持部３２が、本発明の「第２挿入部材」に相当する。バネ７０が、本発明の「バネ部材」に相当する。
【００５５】
なお、本発明は、以上詳述した上記実施の形態に限定されるものではなく、各種の変形が可能なことはいうまでもない。
【００５６】
例えば、上記実施の形態では、点火・消火機構を操作ボタン６による前後方向の押動操作による構成としたが、点火ツマミによる回動操作と連動し、消火時に、火力リセット部２４が動作して火力調節つまみ１を中火力にリセットする構成としても良い。
【００５７】
また、火力リセット部２４では、リセットレバー９をリセットレバー８に押し付けて固定する役割を担うバネ７０は必須の構成ではないため、バネ７０を省略した簡易な構成とすることができる。また、火力リセット部２４の組立て・取外しを容易にするために、支持部３２は先端方向に細くなっているが、支持部３２を通常の円柱状の部材として構成してもよい。また、火力リセット部２４を回動可能に支持する支持部３１，３２は、支持部材３０からの突起部として構成されているが、支持部３１と支持部３２が１本の支軸であってもよい。
【００５８】
また、火力リセット部２４では、リセットレバー９が支持部３２のみで回動可能に固定される一方、リセットレバー８は支持部３１，３２の両方で回動可能に固定される。そのため、リセットレバー８の方がその回動動作が安定的である。これは、強火力から中火力へ戻すリセットレバー８の動作が、小火力から中火力へ戻すリセットレバー９の動作よりも、安全面では重要度が高いため、リセットレバー８の動作が確実に行われる点を重視したことによる。よって、点火時の火力を重視する場合などは、リセットレバー９を支持部３１，３２の両方で固定することもできる。さらに、リセットレバー８において、支持部３１に係合される係合部８４を設けずに、リセットレバー８，９が各々独立に支持部材３０に回動可能に固定されてもよい。
【００５９】
また、被押圧部位８１及び被押圧部位９１は、デフォルト状態で両者が並んで隣り合うように構成されているが、押動レバー７の押圧部位７ａがいずれにも接離可能であれば、他の形態で構成してもよい。例えば、被押圧部位８１及び被押圧部位９１が離間して設けられる一方、押圧部位７ａが先端にＵ字型部材を設けたさすまた状の構成をなして、そのＵ字型部材の一端が被押圧部位８１、他端が被押圧部位９１にそれぞれ接離されてもよい。
【００６０】
なお、上記実施の形態で述べる中火力とは、最大火力と最小火力との間の点火に最適なガス量をいい、必ずしも最大火力と最小火力との平均ガス量を意味しない。
【産業上の利用可能性】
【００６１】
本発明のガス機器のガス量調節装置は、テーブルコンロに限られず、ビルトインコンロ，ガス炊飯器，ガス給湯器，ガスファンヒーターなどの各種のガス機器に適用可能である。
【図面の簡単な説明】
【００６２】
【図１】燃焼装置であるテーブルコンロ５０の平面図である。
【図２】燃焼装置であるテーブルコンロ５０の正面図である。
【図３】ガス量調節装置の概略構成図である（消火位置）。
【図４】ニードル部２１についての説明図である。
【図５】火力リセット部２４の組立て構成の説明図である。
【図６】ガス量調節装置の組立て構成の説明図である。
【図７】火力調節レバー２と火力リセット部２４の斜視図である。
【図８】火力調節レバー２とリセットレバー８，９（中火力位置）の動作説明図である。
【図９】火力調節レバー２とリセットレバー８，９（強火力位置）の動作説明図である。
【図１０】ガス量調節装置（強火力位置）の動作説明図である。
【図１１】火力調節レバー２とリセットレバー８，９（弱火力位置）の動作説明図である。
【図１２】ガス量調節装置（弱火力位置）の動作説明図である。
【図１３】ガス量調節装置の動作説明図である（終端位置）。
【図１４】ガス量調節装置の動作説明図である（燃焼位置）。
【符号の説明】
【００６３】
１    火力調節つまみ
２    火力調節レバー
２ａ    長孔
４    固定板
４ａ    長孔
６    操作ボタン
７    押動レバー
７ａ    押圧部位
７ｂ    支軸
８    リセットレバー
９    リセットレバー
１０    摺動部材
１１    ケーシング
１３    プッシュバネ
１４    プッシュプッシュ機構
１５    点火スイッチ
１６    スピンドル
１７    戻しバネ
１８    吐出口
１９    メイン弁
２０    マグネット式安全弁
２１    ニードル部
２３    ニードル
２４    火力リセット部
２５    係止ピン
２６  貫通孔
３０    支持部材
３１    支持部
３２    支持部
４１    荷受部位
４２    荷受部位
５０    テーブルコンロ
５２    バーナ
７０    バネ
８１    被押圧部位
８２    つめ片
８３    貫通孔
８４    係合部
９１    被押圧部位
９２    つめ片
９３    貫通孔
【図１】
2005265353.tif 000003
【図２】
2005265353.tif 000004
【図３】
2005265353.tif 000005
【図４】
2005265353.tif 000006
【図５】
2005265353.tif 000007
【図６】
2005265353.tif 000008
【図７】
2005265353.tif 000009
【図８】
2005265353.tif 000010
【図９】
2005265353.tif 000011
【図１０】
2005265353.tif 000012
【図１１】
2005265353.tif 000013
【図１２】
2005265353.tif 000014
【図１３】
2005265353.tif 000015
【図１４】
2005265353.tif 000016